(57)【要約】【課題】直ちに、かつ、簡便に、金銭の過不足を把握することができる会計システムを提供する。【解決手段】商品の代金を現金にて決済する釣銭釣札機を備えた会計システムは、所望の金種、枚数の貨幣を前記釣銭釣札機に出金させる出金手段と、前記出金手段により貨幣を出金させた前記釣銭釣札機とは異なる前記釣銭釣札機に前記出金手段により出金させた貨幣を入金させる入金手段と、前記出金手段により出金した貨幣が前記入金手段による入金の入金情報と一致するか否かを判定し、一致しない場合に入出金に不一致が生じた旨を報知する報知手段と、を備える。【選択図】図１
2014081815.tif 000002
【特許請求の範囲】
【請求項１】
商品の代金を現金にて決済する釣銭釣札機を備えた会計システムにおいて、
所望の金種、枚数の貨幣を出金させる出金手段と、
前記出金手段により貨幣を出金させた装置とは異なる装置に前記出金手段により出金させた貨幣を入金させる入金手段と、
前記出金手段により出金した貨幣が前記入金手段による入金の入金情報と一致するか否かを判定し、一致しない場合に入出金に不一致が生じた旨を報知する報知手段と、
を備えることを特徴とする会計システム。
【請求項２】
前記出金手段は、
貨幣の補充を必要とする釣銭釣札機がある場合に、当該補充を必要とする金種の貨幣を当該釣銭釣札機とは異なる装置に出金させ、
前記入金手段は、
前記出金手段により出金された貨幣を、前記補充を必要とする釣銭釣札機に入金させることを特徴とする請求項１に記載の会計システム。
【請求項３】
前記出金手段は、
貨幣の放出を必要とする釣銭釣札機がある場合に、当該放出を必要とする金種の貨幣を当該釣銭釣札機に出金させ、
前記入金手段は、
前記出金手段により出金された貨幣を、前記放出を必要とする釣銭釣札機とは異なる装置に入金させることを特徴とする請求項１に記載の会計システム。
【発明の詳細な説明】
【技術分野】
【０００１】
本発明は、会計システムに関する。
【背景技術】
【０００２】
ＰＯＳレジスタの釣銭釣札機（単に釣銭機とも称する。特許文献１参照）に収納されている貨幣が不足した場合、会計処理における釣銭出金時に支障をきたしてしまう。従来は、この様な場合、事務所や出納室等に予め用意した準備金のなかから必要な金種（貨幣種）の貨幣を必要な枚数分持ち出し、補充を要する釣銭釣札機に入金（補充）させるというような作業を行なっていた。
【先行技術文献】
【特許文献】
【０００３】
【特許文献１】特開２０１１−１１３５３２号公報
【発明の概要】
【発明が解決しようとする課題】
【０００４】
しかしながら、ＰＯＳレジスタや券売機など釣銭釣札機を備えた会計システムにおける、従来の釣銭の補充の作業では、店員のミスや不正などによって、準備金のなかから持ち出した金額と、釣銭釣札機に補充された金額とが一致しない虞、即ち、金銭の過不足が生じる虞があるが、営業終了後（締め作業後）でなければ、金銭の過不足を把握するのは容易ではなかった。
【０００５】
本発明は、このような事情を考慮してなされたものであり、その目的は、直ちに、かつ、簡便に、金銭の過不足を把握（発見）することができる会計システムを提供することにある。
【課題を解決するための手段】
【０００６】
上述した課題を解決するために、本発明の一態様に係る会計システムは、商品の代金を現金にて決済する釣銭釣札機を備えた会計システムにおいて、所望の金種、枚数の貨幣を出金させる出金手段と、前記出金手段により貨幣を出金させた装置とは異なる装置に前記出金手段により出金させた貨幣を入金させる入金手段と、前記出金手段により出金した貨幣が前記入金手段による入金の入金情報と一致するか否かを判定し、一致しない場合に入出金に不一致が生じた旨を報知する報知手段と、を備える。
上記会計システムによれば、出金した貨幣と入金情報とが一致するか否かを判定し、一致しない場合に入出金に不一致が生じた旨を報知するので、直ちに（出金した貨幣と入金情報とが一致するか否かを判定する入金の時点において）、簡便に、金銭の過不足を把握することができる。従って、例えば、営業時間中に釣銭を補充作業において金銭の過不足が生じた場合には、営業終了後（締め作業後）迄待つ必要は無く、直ちに、金銭の過不足を簡便に把握することができる。また、報知によって入出金に不一致が生じた旨が明らかになるため、入出金時の不正を抑止することができる。また、出金手段による出金情報と入金手段による入金情報とを履歴として記憶しておけば、例えば、金銭の過不足が生じた原因などを簡便且つ詳細に確認することができる。
【０００７】
上記会計システムにおいて、前記出金手段は、貨幣の補充を必要とする釣銭釣札機がある場合に、当該補充を必要とする金種の貨幣を当該釣銭釣札機とは異なる装置に出金させ、前記入金手段は、前記出金手段により出金された貨幣を、前記補充を必要とする釣銭釣札機に入金させるようにしてもよい。
上記会計システムによれば、直ちに、かつ、簡便に、ある釣銭釣札機に釣銭を補充する際の金銭の過不足を把握することができる。
【０００８】
上記会計システムにおいて、前記出金手段は、貨幣の放出を必要とする釣銭釣札機がある場合に、当該放出を必要とする金種の貨幣を当該釣銭釣札機に出金させ、前記入金手段は、前記出金手段により出金された貨幣を、前記放出を必要とする釣銭釣札機とは異なる装置に入金させるようにしてもよい。
上記会計システムによれば、直ちに、かつ、簡便に、ある釣銭釣札機から釣銭を放出する際の金銭の過不足を把握することができる。
【発明の効果】
【０００９】
本発明によれば、直ちに、かつ、簡便に、金銭の過不足を把握することができる。
【図面の簡単な説明】
【００１０】
【図１】本発明の一実施形態によるＰＯＳシステム１の構成図の一例である。
【図２】ＰＯＳシステム１に含まれるＰＯＳレジスタ２の外観正面図及び側面図の一例である。
【図３】ＰＯＳシステム１に含まれるＰＯＳレジスタ２の電気回路の構成を示すブロック図の一例である。
【図４】出金伝票、入金伝票の一例である。
【図５】出金伝票、入金伝票に印刷されるコード情報の内容を説明するための説明図である。
【図６】ＰＯＳシステム１の動作の一例を示すフローチャートである。
【図７】ＰＯＳシステム１の動作の一例を示すフローチャートである。
【図８】表示画面の一例である。
【発明を実施するための形態】
【００１１】
以下、本発明の一実施形態を、図面を参照して説明する。図１は、本発明の一実施形態によるＰＯＳシステム１の構成図の一例である。ＰＯＳシステム１は、図１に示すように、Ｎ台のＰＯＳレジスタ２−１、ＰＯＳレジスタ２−２、…、ＰＯＳレジスタ２−Ｎと、ストアコントローラ３とを含んで構成されており、各装置は、ＬＡＮ（Ｌｏｃａｌ  Ａｒｅａ  Ｎｅｔｗｏｒｋ）を介して接続されている。以下、ＰＯＳレジスタ２−１、ＰＯＳレジスタ２−２、…、ＰＯＳレジスタ２−Ｎの夫々を特に区別しない場合には総称してＰＯＳレジスタ２と称する。
【００１２】
ストアコントローラ３は、ＰＯＳシステム１を制御するコンピュータ（例えば、サーバ）である。ストアコントローラ３は、例えば、商品マスタを記憶する。商品マスタは、各商品の商品識別情報（例えばＪＡＮコード）、商品名称、販売価格などの商品情報を格納（保持）するファイルである。ストアコントローラ３は、管理装置、上位装置とも称される。
【００１３】
ＰＯＳレジスタ２は、主に、購入される商品の登録を行う登録処理と、主に、登録された商品の代金決済を行う会計処理（精算処理、決済処理とも称する）とを実行するための装置である。即ち、ＰＯＳレジスタ２は、主に登録処理を行う登録装置の機能と主に会計処理を行う会計装置の機能とを兼ね備えた装置である。
【００１４】
図２は、ＰＯＳシステム１に含まれるＰＯＳレジスタ２の外観正面図及び側面図の一例である。図３は、ＰＯＳシステム１に含まれるＰＯＳレジスタ２の電気回路の構成を示すブロック図の一例である。図３において、符号１１はＰＯＳレジスタ２の全体を制御するＣＰＵ（中央演算装置）であり、図示するように他の構成要素それぞれと接続されている。ＣＰＵ１１の動作の詳細は後述する。
【００１５】
図３において、符号１２は、種々の情報を記憶するＲＯＭ（Ｒｅａｄ  Ｏｎｌｙ  Ｍｅｍｏｒｙ）である。ＲＯＭ１２は、例えば、ＣＰＵ１１が実行するプログラムを記憶する。符号１３は、種々の情報を記憶するＲＡＭ（Ｒａｎｄｏｍ  Ａｃｃｅｓｓ  Ｍｅｍｏｒｙ）である。ＲＡＭ１３は、例えば、ＣＰＵ１１によってＲＯＭ１２から読み出された情報（例えば、上記プログラム）、ＣＰＵ１１によって処理された情報等を記憶する。符号２２は、種々の情報を記憶するハードディスクである。ハードディスク２２は、例えば、ストアコントローラ３から取得した情報（例えば、商品マスタ）、ＣＰＵ１１によって処理された情報等を記憶する。
【００１６】
図２及び図３において、符号１４は、ＣＰＵ１１の制御に従って店員向けに情報を表示する表示部として機能するほか、店員から入力操作を受け付ける操作部として機能する店員用表示部（タッチパネル）である。符号１５は、商品登録の完了入力や会計時においてお客から受け取った預かり金額などの数字データ入力等を行うための操作部である。符号１６は、ＣＰＵ１１の制御に従ってお客向けに情報を表示する客用表示部である。
【００１７】
図２及び図３において、符号１７は、貨幣（金銭）が収納されるキャッシュドロア３０（図３において非図示）の入出金を制御する自動釣銭釣札機である。ＰＯＳレジスタ２と自動釣銭釣札機１７との関係について、図２、図３に示す例では、自動釣銭釣札機１７はＰＯＳレジスタ２に内蔵されているが、自動釣銭釣札機１７はＰＯＳレジスタ２に接続されていてもよい。なお、ＰＯＳレジスタ２と自動釣銭釣札機１７との関係について、ＰＯＳレジスタ２に内蔵された自動釣銭釣札機１７とＰＯＳレジスタ２に接続されている自動釣銭釣札機１７とを特に区別しない場合には、ともに、ＰＯＳレジスタ２の自動釣銭釣札機１７とも称する。また、自動釣銭釣札機１７を内蔵するＰＯＳレジスタ２と自動釣銭釣札機１７を接続しているＰＯＳレジスタ２とを特に区別しない場合には、ともに、自動釣銭釣札機１７を内蔵等するＰＯＳレジスタ２とも称する。
【００１８】
自動釣銭釣札機１７は、ＰＯＳレジスタ２において、登録された商品の代金を現金にて決済するときに使用される。自動釣銭釣札機１７は、貨幣（紙幣）を投入するための紙幣投入口（非図示）、貨幣（硬貨）を投入するための硬貨投入口（図２の符号１７ｂ）、貨幣（紙幣）を放出するための紙幣放出口（非図示）、貨幣（硬貨）を放出するための硬貨放出口（図２の符号１７ａ）、投入又は放出される貨幣を計数する計数部（非図示）、投入口又は放出口とキャッシュドロア３０の間の貨幣の搬送機構（非図示）などを有する。なお、紙幣投入口及び硬貨投入口は、預り金投入口とも称される。紙幣放出口及び硬貨放出口は、釣銭放出口とも称される。なお、紙幣投入口と紙幣放出口は共通であってもよく、また、硬貨投入口と硬貨放出口は共通であってもよい。
【００１９】
自動釣銭釣札機１７は、釣銭投入口された貨幣（例えば、会計時に預かった貨幣、補充時に補充された貨幣）を計数し、キャッシュドロア３０に収納する。また、自動釣銭釣札機１７は、放出する貨幣（例えば、会計時に釣り銭とする貨幣、又は、補充時に出金する貨幣）を計数し、釣銭放出口から放出する。
【００２０】
また、自動釣銭釣札機１７は、ＣＰＵ１１の制御に従って、金種毎の残置枚数（収納枚数）を管理する。具体的には、自動釣銭釣札機１７は、金種毎の残置枚数に関する最新情報（以下、釣銭残置情報という）を管理する。例えば、自動釣銭釣札機１７は、貨幣投入時には、金種毎の投入枚数（入金枚数）に基づいて金種毎の残置枚数に関する情報を更新（加算）し、貨幣放出時には、金種毎の放出枚数（出金枚数）に基づいて金種毎の残置枚数に関する情報を更新（減算）する。また、自動釣銭釣札機１７は、貨幣の投入、放出に際し、金種毎の投入枚数などの情報を含む入金履歴情報と、金種毎の放出枚数などの情報を含む出金履歴情報とを記憶する。
【００２１】
なお、金種毎の残置枚数に関する最新情報（釣銭残置情報）、入金履歴情報、出金履歴情報は、自動釣銭釣札機１７の内部（例えば、自動釣銭釣札機１７が備える記憶領域（非図示））に記憶してもよいし、自動釣銭釣札機１７の外部（例えば、ハードディスク２２）に記憶してもよい。
【００２２】
図３において、符号１８は、コード情報（バーコード）を読み取るスキャナ部である。スキャナ部１８は、読み取ったデータをＣＰＵ１１へ供給する。例えば、スキャナ部１８は、商品に貼付されたコード情報（例えば、ＪＡＮコード）を読み取り、そのデータをＣＰＵ１１へ供給する。また、スキャナ部１８は、出金伝票（釣銭出金伝票、出金指示レシートとも称する）や入金伝票（釣銭入金伝票、入金指示レシートとも称する）に印刷（記録）されたコード情報（例えば、Ｃｏｄｅ１２８、ＩＴＦｃｏｄｅ）を読み取り、そのデータをＣＰＵ１１へ供給する。なお、図２にはスキャナ部１８を示していないが、スキャナ部１８は、ＰＯＳレジスタ２の装置本体に有線で接続され、読み取ったデータを有線で装置本体に送信する構成としてもよいし、無線によって装置本体に接続され、読み取ったデータを装置本体に無線によって送信するような構成としてもよい。
【００２３】
図２及び図３において、符号１９は、ＣＰＵ１１の制御に従って印刷物を発行する印刷部である。例えば、印刷部１９は、会計処理の完了後、買上商品の明細情報等を印刷媒体に印刷してレシートとして発行する。また、印刷部１９は、貨幣を補充する際に、所望の金種、所望の枚数の貨幣を自動釣銭釣札機１７に出金させるコード情報等を印刷媒体に印刷して出金伝票として発行し、あるいは、所望の金種、所望の枚数の貨幣を自動釣銭釣札機１７に入金させるコード情報等を印刷媒体に印刷して入金伝票として発行する。
【００２４】
図３において、符号２０は、ＣＰＵ１１の制御に従ってＬＡＮを介して外部と通信する通信部である。例えば、通信部２０は、適宜、ストアコントローラ３から商品マスタを受信する。また、通信部２０は、会計処理の完了後、ストアコントローラ３に取引情報を送信する。
【００２５】
また、通信部２０は、当該ＰＯＳレジスタ２（自装置）の自動釣銭釣札機１７の貨幣（釣り銭）がゼロに近い枚数である旨（即ち、釣銭ニアエンドである旨）を報知する情報（以下、釣銭ニアエンド情報という）を他のＰＯＳレジスタ２（他装置）に送信する。
【００２６】
また、通信部２０は、自動釣銭釣札機１７の釣銭残置情報を要求する旨の命令（以下、釣銭残置情報要求という）を他のＰＯＳレジスタ２に送信する。また、通信部２０は、他のＰＯＳレジスタ２からの釣銭残置情報要求の応答として、当該ＰＯＳレジスタ２の自動釣銭釣札機１７の釣銭残置情報を要求元の他のＰＯＳレジスタ２に送信する。
【００２７】
なお、ＰＯＳレジスタ２は、ＬＡＮを介して外部と通信する通信部２０に加えて、近距離無線通信（例えば、ブルートゥース、ＲＦＩＤ、赤外線通信）によって外部と通信する通信部（非図示）を備える。
【００２８】
図３において、符号２１はＣＰＵ１１の制御に従って撮像する撮像部（カメラ）である。例えば、撮像部２１は、当該ＰＯＳレジスタ２を操作する店員、当該ＰＯＳレジスタ２による商品の登録や会計を受けているお客を撮像する。また、撮像部２１は、出金伝票や入金伝票に印刷（記録）されたコード情報（例えば、二次元バーコード、例えば、ＱＲコード（登録商標））を読み取り、そのデータをＣＰＵ１１へ供給してもよい。なお、図２には撮像部２１を示していないが、撮像部２１は、ＰＯＳレジスタ２の装置本体に有線で接続され、撮像画像を有線で装置本体に送信する構成としてもよいし、無線によって装置本体に接続され、撮像画像を装置本体に無線によって送信するような構成としてもよい。
【００２９】
以下、ＰＯＳレジスタ２のＣＰＵ１１の動作について説明する。
ＣＰＵ１１は、店員の操作に応じて登録処理及び会計処理を実行する。例えば、ＣＰＵ１１は、店員がスキャナ部１８によって商品に貼付された商品コードを読み取った場合、又は、店員用表示部１４に表示されているプリセットボタンを操作した場合、お客の購入する商品を登録する。続いて、ＣＰＵ１１は、店員が操作部１５の所定キー（例えば、締めキー、終了キー）を押下した場合、合計金額等を店員用表示部１４及び客用表示部１６に表示させる。
【００３０】
続いて、ＣＰＵ１１は、店員がお客からの預かり金を預り金投入口に投入し、操作部１５の所定キー（例えば、お会計キー）を押下した場合、自動釣銭釣札機１７に、投入された貨幣の計数を実行させる。自動釣銭釣札機１７は、金種毎に投入された貨幣を計数する。ＣＰＵ１１は、計数結果（投入金額）を自動釣銭釣札機１７から取得し、登録された商品の合計金額と投入金額とを比較する。
【００３１】
ＣＰＵ１１は、登録された商品の合計金額と投入金額とが一致した場合、店員用表示部１４及び客用表示部１６に投入金額を表示させる。また、ＣＰＵ１１は、自動釣銭釣札機１７に、投入された貨幣を収納させる。自動釣銭釣札機１７は、投入された貨幣を収納した後、金種毎の投入枚数に基づいて、記憶領域（又は、ハードディスク２２）に記憶されている、金種毎の残置枚数に関する最新情報（釣銭残置情報）を更新する。また、自動釣銭釣札機１７は、金種毎の投入枚数などの情報を含む入金履歴情報を記憶する。なお、自動釣銭釣札機１７は、登録処理及び会計処理による入金である旨の情報を含む入金履歴情報を記憶してもよい。また、ＣＰＵ１１は、印刷部１９に、店舗名、日時、操作者名、購入商品名、投入金額等を印刷したレシートを発行させる。また、ＣＰＵ１１は、通信部２０を介して、日時、当該ＰＯＳレジスタ２の装置番号、購入商品の商品コード等を含む取引情報をストアコントローラ３に送信する。なお、ＣＰＵ１１は、お釣りが無い旨（例えば、お釣り「０円」）を表示させてもよいし、お釣りが無い旨を印刷したレシートを発行させてもよい。
【００３２】
ＣＰＵ１１は、登録された商品の合計金額よりも投入金額が多い場合、釣銭金額を計算し、店員用表示部１４及び客用表示部１６に投入金額及び釣銭金額を表示させる。また、ＣＰＵ１１は、自動釣銭釣札機１７に、投入された貨幣を収納させるとともに、釣り銭を放出させる。自動釣銭釣札機１７は、投入された貨幣を収納するとともに、金種毎に放出する貨幣を計数し、釣銭放出口から釣り銭として放出する。自動釣銭釣札機１７は、釣銭を放出した後、金種毎の投入枚数及び放出枚数に基づいて、記憶領域（又は、ハードディスク２２）に記憶されている、金種毎の残置枚数に関する最新情報（釣銭残置情報）を更新する。また、自動釣銭釣札機１７は、金種毎の投入枚数などの情報を含む入金履歴情報と、金種毎の放出枚数などの情報を含む出金履歴情報とを記憶する。なお、自動釣銭釣札機１７は、登録処理及び会計処理による入金である旨の情報を含む入金履歴情報を記憶してもよい。また、なお、自動釣銭釣札機１７は、登録処理及び会計処理による出金である旨の情報を含む出金履歴情報を記憶してもよい。また、ＣＰＵ１１は、印刷部１９に、店舗名、日時、操作者名、購入商品名、投入金額、釣銭金額等を印刷したレシートを発行させる。また、ＣＰＵ１１は、通信部２０を介して、日時、当該ＰＯＳレジスタ２の装置番号、購入商品の商品コード等を含む取引情報をストアコントローラ３に送信する。
【００３３】
ＣＰＵ１１は、登録された商品の合計金額よりも投入金額が少ない場合、お客からの預かり金が不足している旨を表示させる。ＣＰＵ１１は、店員が追加の預かり金を預り金投入口に投入し、操作部１５の所定キー（例えば、お会計キー）を押下した場合、自動釣銭釣札機１７に、上記と同様に、投入された貨幣の計数を実行させる。
【００３４】
また、ＣＰＵ１１は、釣銭ニアエンドであるか否かを判断する。つまり、ＰＯＳレジスタ２は上述の如く自動釣銭釣札機１７を内蔵等しているが、ＰＯＳレジスタ２に内蔵等されている自動釣銭釣札機１７が釣銭ニアエンドであるか否かを、当該ＰＯＳレジスタ２のＣＰＵ１１が判断する。例えば、ＣＰＵ１１は、金種毎の残置枚数に関する情報を参照し、残置枚数が基準枚数（釣銭ニアエンドの判断用の基準枚数）未満であるときは、釣銭ニアエンドであると判断する。なお、釣銭ニアエンドの判断用の基準枚数は、金種毎に設定しておいてもよい。また、釣銭ニアエンドの判断用の基準枚数は、ＰＯＳレジスタ２別に金種毎に設定しておいてもよい。ＣＰＵ１１は、釣銭ニアエンドであるときは、釣銭ニアエンド情報を他のＰＯＳレジスタ２に送信するように制御する。
【００３５】
より詳細には、ＣＰＵ１１は、釣銭ニアエンドである金種毎の現枚数情報を含む釣銭ニアエンド情報を送信するように制御してもよいし、釣銭ニアエンドである金種毎の要補充枚数情報を含む釣銭ニアエンド情報を送信するように制御してもよい。釣銭ニアエンドである金種毎の要補充枚数情報を含む釣銭ニアエンド情報を送信する態様の場合、金種毎に十分な枚数（十分枚数）を予め設定しておき、釣銭ニアエンドである金種毎に、十分枚数と現枚数との差を要補充枚数として計算し、他の装置に送信する釣銭ニアエンド情報に含めるようにしてもよい。なお、釣銭ニアエンド情報を送信先は、ＰＯＳシステム１に存在する全部の他装置であってもよいし、予め設定した１以上の他装置であってもよい。
【００３６】
また、ＣＰＵ１１は、通信部２０を介して、他のＰＯＳレジスタ２から釣銭ニアエンド情報を受信した場合、釣銭ニアエンドとなっている他のＰＯＳレジスタ２が存在している旨の警告情報を店員用表示部１４に表示させる。
【００３７】
また、ＣＰＵ１１は、他のＰＯＳレジスタ２が釣銭ニアエンドとなっている場合（具体的には、他のＰＯＳレジスタ２から釣銭ニアエンド情報を受信した場合）、釣銭ニアエンドとなっている他のＰＯＳレジスタ２に貨幣を補充するために釣銭ニアエンドとなっている他のＰＯＳレジスタ２以外の他のＰＯＳレジスタ２から貨幣を出金させる際に用いる出金伝票を印刷、発行するように制御する。
【００３８】
具体的には、ＣＰＵ１１は、釣銭ニアエンド情報を受信した場合、当該ＰＯＳレジスタ２の自動釣銭釣札機１７の釣銭残置情報と、釣銭ニアエンドとなっている他のＰＯＳレジスタ２以外の他のＰＯＳレジスタ２の自動釣銭釣札機１７の釣銭残置情報とに基づいて、釣銭ニアエンドとなっている金種毎の要補充枚数分の貨幣を出金可能な１台以上のＰＯＳレジスタ２を選択する。
【００３９】
なお、ＣＰＵ１１は、釣銭ニアエンドとなっている他のＰＯＳレジスタ２以外の他のＰＯＳレジスタ２の夫々に釣銭残置情報要求を送信し、釣銭ニアエンドとなっている他のＰＯＳレジスタ２以外の他のＰＯＳレジスタ２の夫々から夫々の釣銭残置情報を受信する。換言すれば、ＣＰＵ１１は、他のＰＯＳレジスタ２から釣銭残置情報要求を受信した場合には、当該ＰＯＳレジスタ２の自動釣銭釣札機１７の釣銭残置情報を取得し、釣銭残置情報要求の応答として、要求元の他のＰＯＳレジスタ２に送信する。
【００４０】
以下、具体例を用いて、１台以上のＰＯＳレジスタ２の選択方法を説明する。当該具体例として、ＰＯＳレジスタ２−２は、千円札については１５枚迄出金可能、五千円札については８枚迄出金可能であるものとする。ＰＯＳレジスタ２−３は、千円札については８枚枚迄出金可能、五千円札については１５枚迄出金可能であるものとする。ＰＯＳレジスタ２−４は、千円札については３枚迄出金可能、五千円札については１０枚迄出金可能であるものとする。なお、出金可能な枚数は、現在の残置枚数と基準枚数（出金可能枚数の計算用の基準枚数。残置基準枚数ともいう）とから計算する。出金可能枚数の計算用の基準枚数（残置基準枚数）は、金種毎に設定しておいてもよい。また、出金可能枚数の計算用の基準枚数（残置基準枚数）は、ＰＯＳレジスタ２別に金種毎に設定しておいてもよい。
【００４１】
（選択方法１／最小限の装置を選択）
例えば、ＰＯＳレジスタ２−２（自装置）が、ＰＯＳレジスタ２−１（他装置）から釣銭ニアエンド情報（千円札１０枚と五千円札５枚とを要補充）を受信した場合、最小限のＰＯＳレジスタ２を選択（台数が最小になるようにＰＯＳレジスタ２を選択）するべく、ＣＰＵ１１は、ＰＯＳレジスタ２−２を選択するようにしてもよい。当該場合、ＰＯＳレジスタ２−２の１台から千円札１０枚と五千円５枚を出金する。
【００４２】
（選択方法２／各金種について最も放出できる枚数に余裕がある装置を選択）
例えば、ＰＯＳレジスタ２−２（自装置）が、ＰＯＳレジスタ２−１（他装置）から釣銭ニアエンド情報（千円札１０枚と五千円札５枚とを要補充）を受信した場合、各金種について最も放出できる枚数に余裕がある装置を選択するべく、ＣＰＵ１１は、ＰＯＳレジスタ２−２とＰＯＳレジスタ２−３とを選択するようにしてもよい。当該場合、ＰＯＳレジスタ２−２から千円札１０枚を出金し、ＰＯＳレジスタ２−３から五千円５枚を出金する。
【００４３】
出金可能なＰＯＳレジスタ２を選択した後に、ＣＰＵ１１は、選択したＰＯＳレジスタ２に読み取らせる出金伝票（２台以上のＰＯＳレジスタ２を選択した場合には選択した夫々のＰＯＳレジスタ２に読み取らせる夫々の出金伝票）を印刷、発行するように制御する。出金伝票には、当該出金伝票を読み取らせるＰＯＳレジスタ２の装置番号などを視認可能（機械によらず読解可能）に印刷（例えば、文字にて印刷）するとともに、金種毎の放出枚数（出金枚数）などをコード化したコード情報を印刷する。また、ＣＰＵ１１は、出金伝票とともに他の伝票（例えば、後述の補充レジ情報レシート）を印刷、発行するように制御してもよい。
【００４４】
ＣＰＵ１１は、スキャナ部１８（又は撮像部２１）によって出金伝票が読み取られた場合（即ち、出金伝票に印刷されたコード情報が読み取られた場合）、コード化されていた装置番号に基づいて、読み取られた出金伝票が自装置を対象とするものであるか否かを判断する。ＣＰＵ１１は、読み取られた出金伝票が自装置を対象とするものであるときは、出金伝票にコード化されていた金種毎の放出枚数に基づいて、自動釣銭釣札機１７に出金処理を実行させる。また、ＣＰＵ１１は、金種毎の放出枚数や、出金伝票による出金である旨の情報を含む出金履歴情報を記憶する。また、ＣＰＵ１１は、釣銭ニアエンドに起因する出金（他の装置への補充するための出金）である旨の情報を含む出金履歴情報を記憶してもよい。
【００４５】
また、出金処理を実行させた後に、ＣＰＵ１１は、釣銭ニアエンドとなっている他のＰＯＳレジスタ２に読み取らせる入金伝票を印刷、発行するように制御する。入金伝票には、当該入金伝票を読み取らせるＰＯＳレジスタ２の装置番号などを視認可能（機械によらず読解可能）に印刷するとともに、金種毎の投入枚数（入金枚数）などをコード化したコード情報を印刷する。なお、当該ＰＯＳレジスタ２にて放出（出金）した貨幣は、他のＰＯＳレジスタ２に投入（入金）されるものであるから、当該ＰＯＳレジスタ２にて放出（出金）した金種毎の放出枚数（出金枚数）と、入金伝票にコード化される金種毎の投入枚数（入金枚数）とは一致する。
【００４６】
ＣＰＵ１１は、スキャナ部１８（又は撮像部２１）によって入金伝票が読み取られた場合（即ち、入金伝票に印刷されたコード情報が読み取られた場合）、コード化されていた装置番号に基づいて、読み取られた入金伝票が自装置を対象とするものであるか否かを判断する。ＣＰＵ１１は、読み取られた入金伝票が自装置を対象とするものであるときは、預り金投入口への貨幣の投入を受け付ける。ＣＰＵ１１は、紙幣の投入後、投入された金種と枚数とが、入金伝票にコード化されていた金種毎の投入枚数と一致するか否かを判断する。ＣＰＵ１１は、一致した場合には、自動釣銭釣札機１７に入金処理を実行させる（投入貨幣を収納（入金）させる）。また、ＣＰＵ１１は、金種毎の投入枚数や、入金伝票による入金である旨の情報を含む入金履歴情報を記憶する。また、ＣＰＵ１１は、釣銭ニアエンドに起因する入金（釣銭ニアエンドの解消のため他の装置から出金された貨幣の入金）である旨の情報を含む入金履歴情報を記憶してもよい。
【００４７】
図４は、出金伝票、入金伝票の一例である。ＰＯＳレジスタ２は、出金可能なＰＯＳレジスタ２を選択した後に、図４（ａ）に示すような出金伝票（釣銭出金伝票）を印刷、発行する。図４（ａ）に示す釣銭出金伝票には、文字として、発行日付、対象装置（当該出金伝票を読み取らせて貨幣を出金させるＰＯＳレジスタ２）の装置番号、操作者情報（従業員ＩＤ、氏名）などが印刷されている。
【００４８】
また、図４（ａ）に示す釣銭出金伝票には、二次元バーコード（例えば、ＱＲコード（登録商標）が印刷されている。二次元バーコードには、対象装置の装置番号や金種毎の放出枚数（出金枚数）などがコード化され記憶されている。二次元バーコードには、当該伝票が、釣銭出金伝票（出金伝票）であるか釣銭入金伝票（入金伝票）であるかを識別する情報が含まれていてもよい。釣銭出金伝票であるか釣銭入金伝票であるかを識別する情報は、出金履歴情報や入金履歴情報に、出金伝票による出金である旨や入金伝票による入金である旨を記憶する場合などに参照される。また、二次元バーコードには、当該釣銭出金伝票（出金伝票）が、釣銭ニアエンドに起因して発行されたものであるか釣銭ニアフル（後述）に起因して発行されたものであるかを識別する情報が含まれていてもよい。釣銭出金伝票が釣銭ニアエンドに起因して発行されたものであるか釣銭ニアフルに起因して発行されたものであるかを識別する情報は、出金履歴情報に、釣銭ニアエンドに起因する出金である旨や釣銭ニアフルに起因する出金である旨を記憶する場合などに参照される。
【００４９】
なお、ＰＯＳレジスタ２は、図４（ａ）に示すような釣銭出金伝票に代えて図４（ｃ）に示すような釣銭出金伝票を印刷、発行してもよい。図４（ｃ）に示す釣銭出金伝票には、対象装置の装置番号や金種毎の放出枚数（出金枚数）などをコード化した二次元バーコードに代えて、対象装置の装置番号や金種毎の放出枚数（出金枚数）などをコード化したＣｏｄｅ１２８が印刷されている。
【００５０】
ＰＯＳレジスタ２は、出金処理を実行した後に、図４（ｂ）に示すような入金伝票（釣銭入金伝票）を印刷、発行する。図４（ｂ）に示す釣銭入金伝票には、文字として、発行日付、対象装置（当該入金伝票を読み取らせて貨幣を入金させるＰＯＳレジスタ２）の装置番号、操作者情報などが印刷されている。
【００５１】
また、図４（ｂ）に示す釣銭入金伝票には、二次元バーコードが印刷されている。二次元バーコードには、対象装置の装置番号や金種毎の投入枚数（入金枚数）などがコード化され記憶されている。二次元バーコードには、当該伝票が、釣銭出金伝票（出金伝票）であるか釣銭入金伝票（入金伝票）であるかを識別する情報が含まれていてもよい。釣銭出金伝票であるか釣銭入金伝票であるかを識別する情報は、出金履歴情報や入金履歴情報に、出金伝票による出金である旨や入金伝票による入金である旨を記憶する場合などに参照される。また、二次元バーコードには、当該釣銭入金伝票（入金伝票）が、釣銭ニアエンドに起因して発行されたものであるか釣銭ニアフル（後述）に起因して発行されたものであるかを識別する情報が含まれていてもよい。釣銭入金伝票が釣銭ニアエンドに起因して発行されたものであるか釣銭ニアフルに起因して発行されたものであるかを識別する情報は、入金履歴情報に、釣銭ニアエンドに起因する入金である旨や釣銭ニアフルに起因する入金である旨を記憶する場合などに参照される。
【００５２】
なお、ＰＯＳレジスタ２は、図４（ｂ）に示すような釣銭入金伝票に代えて図４（ｄ）に示すような釣銭入金伝票を印刷、発行してもよい。図４（ｄ）に示す釣銭入金伝票には、対象装置の装置番号や金種毎の投入枚数（入金枚数）などをコード化した二次元バーコードに代えて、対象装置の装置番号や金種毎の投入枚数（入金枚数）などをコード化したＣｏｄｅ１２８が印刷されている。
【００５３】
図５は、出金伝票、入金伝票に印刷されるコード情報の内容を説明するための説明図である。具体的には、図５は、出金伝票、入金伝票にＣｏｄｅ１２８を印刷する態様において、Ｃｏｄｅ１２８にコード化される情報の一例を表している。図５において、先頭の「Ｆ」は、出金又は入金の処理区分（出金伝票であるか入金伝票であるかを識別する入出金フラグ）である。「ＮＮＮＮＮＮ」は、出金又は入金する装置を識別する装置識別情報（対象装置の装置番号）である。「ＭＭＭＭＭＭ」は、操作者を識別する操作者識別情報（従業員ＩＤ）である。「ＡＡＡ」は、五千円札の枚数である。「ＢＢＢ」は、千円札の枚数である。「ＣＣＣ」は、五百円玉の枚数である。「ＤＤＤ」は、百円玉の枚数である。「ＥＥＥ」は、五十円玉の枚数である。「ＦＦＦ」は、十円玉の枚数である。「ＧＧＧ」は、五円玉の枚数である。「ＨＨＨ」は、一円玉の枚数である。「ｃ／ｄ」は、チェックデジットである。
【００５４】
図６及び図７は、ＰＯＳシステム１の動作の一例を示すフローチャートである。具体的には、釣銭の補充に関する複数台のＰＯＳレジスタ２の動作の一例を示している。なお、図６及び図７に示すフローチャートの説明において、ＰＯＳシステム１が備えるＰＯＳレジスタ２の台数は、４台（ＰＯＳレジスタ２−１〜ＰＯＳレジスタ２−４）であるものとし、ＰＯＳレジスタ２−１が金銭ニアエンドになったものとする。図６（図７も同様）に示すフローチャートの一番左側はＰＯＳレジスタ２−１の動作、左から二番目はＰＯＳレジスタ２−２の動作、左から三番目はＰＯＳレジスタ２−３の動作、一番右側はＰＯＳレジスタ２−４の動作を表している。図７に示すフローチャートは、図６に示すフローチャートの続きである。
【００５５】
ステップＳ５００：ＰＯＳレジスタ２−１は、自装置の釣銭ニアエンドを認識する。
ステップＳ５０１：ＰＯＳレジスタ２−１は、釣銭ニアエンド情報をＰＯＳレジスタ２−２に送信する。ＰＯＳレジスタ２−１は、釣銭ニアエンドである金種毎の現枚数情報を含む釣銭ニアエンド情報を他装置に送信してもよいし、釣銭ニアエンドである金種毎の要補充枚数情報を含む釣銭ニアエンド情報を他装置に送信してもよい。なお、ＰＯＳレジスタ２−１による釣銭ニアエンド情報の送信先は、ＰＯＳレジスタ２−２であると予め設定してあるものとする。
【００５６】
ステップＳ５０２：ＰＯＳレジスタ２−２は、ＰＯＳレジスタ２−１から釣銭ニアエンド情報を受信する。
ステップＳ５０３：ＰＯＳレジスタ２−２は、釣銭ニアエンドの装置が存在している旨の警告情報を店員用表示部１４に表示する。警告表示は、アイコン表示、ポップアップの文字表示などである。ＰＯＳレジスタ２−２は、所定のボタン（例えば、「釣銭情報取得」ボタン）が押下された場合にステップＳ５０４に進む。
ステップＳ５０４：ＰＯＳレジスタ２−２は、自装置の釣銭残置情報（金種毎の残置枚数に関する最新情報）を取得する。
ステップＳ５０５：ＰＯＳレジスタ２−２は、釣銭ニアエンドとなっている他の装置（ＰＯＳレジスタ２−１）以外の他の装置（ＰＯＳレジスタ２−３及びＰＯＳレジスタ２−４）の夫々に釣銭残置情報要求を送信する。
【００５７】
ステップＳ５０６：ＰＯＳレジスタ２−３は、ＰＯＳレジスタ２−２から釣銭残置情報要求を受信する。
ステップＳ５０７：ＰＯＳレジスタ２−３は、自装置の釣銭残置情報を取得する。
ステップＳ５０８：ＰＯＳレジスタ２−３は、自装置の釣銭残置情報をＰＯＳレジスタ２−２に送信する。
【００５８】
ステップＳ５０９：ＰＯＳレジスタ２−４は、ＰＯＳレジスタ２−２から釣銭残置情報要求を受信する。
ステップＳ５１０：ＰＯＳレジスタ２−４は、自装置の釣銭残置情報を取得する。
ステップＳ５１１：ＰＯＳレジスタ２−４は、自装置の釣銭残置情報をＰＯＳレジスタ２−２に送信する。
【００５９】
ステップＳ５１２：ＰＯＳレジスタ２−２は、ＰＯＳレジスタ２−３及びＰＯＳレジスタ２−４から釣銭残置情報を受信する。
ステップＳ５１３：ＰＯＳレジスタ２−２は、出金伝票の発行を準備する。具体的には、ＰＯＳレジスタ２−２は、非図示のステップＳ１０６〜Ｓ１１０を実行する。
【００６０】
ステップＳ１０６：釣銭ニアエンドの金種について残置基準枚数（出金可能枚数の計算用の基準枚数。即ち、残しておかなければいけない基準枚数）を越えて収納している装置の情報を店員用表示部１４に表示する。即ち、ステップＳ５１２にて受信した他の装置夫々の釣銭残置情報と、予め設定している残置基準枚数とを比較し、釣銭ニアエンドとなっている各金種について残置基準枚数を越えて収納している装置の情報を表示する。なお、表示出力に代えて、又は、加えて、上記装置の情報を印刷出力してもよい。
ステップＳ１０７：釣銭ニアエンドの装置における金種毎の要補充枚数を取得する。例えば、ステップＳ５０２において受信した釣銭ニアエンド情報が、釣銭ニアエンドである金種毎の要補充枚数情報を含む場合には、当該釣銭ニアエンド情報から要補充枚数を取得する。ステップＳ５０２において受信した釣銭ニアエンド情報が、釣銭ニアエンドである金種毎の現枚数情報を含む場合には、釣銭ニアエンドである金種毎に、予め設定している十分枚数と現枚数との差を要補充枚数として計算し、金種毎の要補充枚数を取得する。
ステップＳ１０８：ステップＳ１０７にて取得した金種毎の要補充枚数を表示する。なお、表示出力に代えて、又は、加えて、上記金種毎の要補充枚数を印刷出力してもよい。
ステップＳ１０９：金種毎の要補充枚数分の貨幣を出金可能な１台以上の装置（ＰＯＳレジスタ２）を選択する。例えば、ステップＳ５０４にて取得した自装置の釣銭残置情報と、ステップＳ５１２にて受信した他装置の釣銭残置情報とに基づいて、金種毎の要補充枚数分の貨幣を出金可能な最小限の装置を選択（台数が最小になるようにＰＯＳレジスタ２を選択）する。金種毎の要補充枚数分の貨幣を出金可能な最小限の装置に代えて、各金種について最も放出できる枚数に余裕がある装置を選択するようにしてもよい。
ステップＳ１１０：ステップＳ１０９にて選択した選択結果を店員用表示部１４に表示する。例えば、選択した装置の装置番号、各装置における出金予定の金種毎の貨幣の枚数を表示する。なお、表示出力に代えて、又は、加えて、上記選択結果を印刷出力してもよい。なお、ステップＳ１０９において、ＰＯＳレジスタ２−２は、ＰＯＳレジスタ２−１に補充する金種毎の要補充枚数分の貨幣を出金可能な装置として、ＰＯＳレジスタ２−２（自装置）とＰＯＳレジスタ２−３を選択したものとする。
【００６１】
ステップＳ５１４：ＰＯＳレジスタ２−２は、出金可能な装置として選択した装置において読み取らせる出金伝票を印刷、発行する。即ち、ＰＯＳレジスタ２−２は、ＰＯＳレジスタ２−２（自装置）用の出金伝票、及び、ＰＯＳレジスタ２−３用の出金伝票を印刷、発行する。
【００６２】
ステップＳ５２０：ＰＯＳレジスタ２−２は、出金伝票を読み取る。ＰＯＳレジスタ２−２は、出金伝票にコード化されていた装置番号に基づいて、読み取られた出金伝票が自装置を対象とするものであるか否かを判断し、読み取られた出金伝票が自装置を対象とするものであれば、ステップＳ５２１に進み、そうでなければ、処理を終了する。
ステップＳ５２１：ＰＯＳレジスタ２−２は、読み取った自装置を対象とする出金伝票にコード化されていた金種毎の放出枚数（出金枚数）に基づいて貨幣を放出（出金）する。
ステップＳ５２２：ＰＯＳレジスタ２−２は、出金履歴情報を記憶する。例えば、ＰＯＳレジスタ２−２は、出金履歴情報として、日時、装置番号、出金伝票による出金である旨、操作者情報（従業員情報）、金種毎の放出枚数（出金枚数）などを記憶する。なお、出金履歴情報として、出金伝票による出金である旨に代えて、又は、加えて、釣銭ニアエンドに起因する出金である旨の情報を記憶してもよい。
ステップＳ５２３：ＰＯＳレジスタ２−２は、ＰＯＳレジスタ２−１に読み取らせる入金伝票を印刷、発行する。
【００６３】
ステップＳ５２４：ＰＯＳレジスタ２−３は、出金伝票を読み取る。ＰＯＳレジスタ２−３は、出金伝票にコード化されていた装置番号に基づいて、読み取られた出金伝票が自装置を対象とするものであるか否かを判断し、読み取られた出金伝票が自装置を対象とするものであれば、ステップＳ５２５に進み、そうでなければ、処理を終了する。
ステップＳ５２５：ＰＯＳレジスタ２−３は、読み取った自装置を対象とする出金伝票にコード化されていた金種毎の放出枚数（出金枚数）に基づいて貨幣を放出（出金）する。
ステップＳ５２６：ＰＯＳレジスタ２−３は、出金履歴情報を記憶する。例えば、ＰＯＳレジスタ２−３は、出金履歴情報として、日時、装置番号、出金伝票による出金である旨、操作者情報（従業員情報）、金種毎の放出枚数（出金枚数）などを記憶する。なお、出金履歴情報として、出金伝票による出金である旨に代えて、又は、加えて、釣銭ニアエンドに起因する出金である旨の情報を記憶してもよい。
ステップＳ５２７：ＰＯＳレジスタ２−３は、ＰＯＳレジスタ２−１に読み取らせる入金伝票を印刷、発行する。
【００６４】
ステップＳ５２８：ＰＯＳレジスタ２−１は、入金伝票を読み取る。ＰＯＳレジスタ２−１は、入金伝票にコード化されていた装置番号に基づいて、読み取られた入金伝票が自装置を対象とするものであるか否かを判断し、読み取られた入金伝票が自装置を対象とするものであれば、ステップＳ５２９に進み、そうでなければ、処理を終了する。即ち、ＰＯＳレジスタ２−１は、ステップＳ５２３にてＰＯＳレジスタ２−２が発行した入金伝票か、ステップＳ５２７にてＰＯＳレジスタ２−３が発行した入金伝票の何れかを読み取る。
ステップＳ５２９：ＰＯＳレジスタ２−１は、預り金投入口への貨幣の投入を受け付ける。
ステップＳ５３０：ＰＯＳレジスタ２−１は、投入された金種と枚数とが、読み取った入金伝票と一致するか否かを判断する。一致していればステップＳ５３１に進み、一致していなければステップＳ５３３に進む。
ステップＳ５３１：ＰＯＳレジスタ２−１は、投入貨幣を収納（入金）する。
ステップＳ５３２：ＰＯＳレジスタ２−１は、入金履歴情報を記憶する。例えば、ＰＯＳレジスタ２−１は、入金履歴情報として、日時、装置番号、入金伝票による入金である旨、操作者情報（従業員情報）、金種毎の投入枚数（入金枚数）などを記憶する。なお、入金履歴情報として、入金伝票による入金である旨に代えて、又は、加えて、釣銭ニアエンドに起因する入金である旨の情報を記憶してもよい。
ステップＳ５３３：ＰＯＳレジスタ２−１は、金額不一致の旨を出力（例えば、店員用表示部１４へのポップアップ画面を表示）する。即ち、ＰＯＳレジスタ２−１は、入出金に不一致が生じた旨を報知する。その後、ＰＯＳレジスタ２−１は、処理を続行する旨の操作（例えば、「ＯＫ」ボタンの押下）があったか否かを判断する。処理を続行する旨の操作があれば上述のステップＳ５３１以下を実行し、処理を続行する旨の操作がなければ、ステップＳ５３４に進む。
ステップＳ５３４：ステップＳ５２９にて投入された貨幣を排出（返金）する。そして図６及び図７に示すフローチャートは終了する。なお、読み取っていない入金伝票が未だある場合には、ステップＳ５２８に戻る。
【００６５】
なお、ステップＳ５３３において、ＰＯＳレジスタ２−１は、画面表示に代えてまたは加えて、音声出力（例えば、アラーム音、合成音声）や、サインポール（後述）の発光などによって、入出金に不一致が生じた旨を報知してもよいし、警告情報を、ストアコントローラ３、責任者が所持する携帯端末、他のＰＯＳレジスタ２などに報知（送信）してもよい。
【００６６】
また、金額不一致であったが処理を続行させて投入紙幣を収納した場合には、入金履歴情報として、金額不一致であったが処理を続行させて投入紙幣を収納した旨を記憶するようにしてもよい。入金履歴情報として、釣銭ニアエンドの補充において金額不一致であったが処理を続行させて投入紙幣を収納した旨を記憶してもよい。また、金額不一致のため投入紙幣を排出した場合には、金額不一致のため投入紙幣を排出した旨の情報を履歴情報として残すようにしてもよいし、釣銭ニアエンドの補充において金額不一致のため投入紙幣を排出した旨の情報を履歴情報として残すようにしてもよい。
【００６７】
図８は、表示画面の一例である。なお、図８の説明において、ＰＯＳシステム１は、ＰＯＳレジスタ２−１（装置番号「１番」）、ＰＯＳレジスタ２−２（装置番号「２番」）、ＰＯＳレジスタ２−３（装置番号「３番」）、ＰＯＳレジスタ２−４（装置番号「４番」）を備え、従業員番号「１２３」の従業員の操作によって、１番のＰＯＳレジスタ２−１から千円札が３０枚放出され、３番のＰＯＳレジスタ２−３に千円札が２５枚投入されているものとする。
【００６８】
ストアコントローラ３は、出金履歴情報及び入金履歴情報を参照し、ＰＯＳレジスタ２の自動釣銭釣札機１７における釣銭補充の入出金の状況を表示する。例えば、ストアコントローラ３は、所定のボタン（例えば、「釣銭補充入出金状況確認」ボタン）が押下された場合に、ＰＯＳシステム１に存在する夫々のＰＯＳレジスタ２から夫々の自動釣銭釣札機１７（即ち、全部の自動釣銭釣札機１７）における出金履歴情報及び入金履歴情報を取得（受信）し、図８に示すような、画面タイトル（図中「Ａ」）、メッセージ（図中「Ｂ」）、１番のＰＯＳレジスタ２−１の入出金状況（図中「Ｃ」）、２番のＰＯＳレジスタ２−２の入出金状況（図中「Ｄ」）、３番のＰＯＳレジスタ２−３の入出金状況（図中「Ｅ」）、４番のＯＳレジスタ２−４の入出金状況（図中「Ｆ」）を含む、釣銭補充入出金状況確認を表示する。
【００６９】
具体的には、ストアコントローラ３は、１番のＰＯＳレジスタ２−１から取得した入金履歴情報に含まれる金種毎の投入枚数を当該ＰＯＳレジスタ２−１の入出金状況（図中「Ｃ」）の入金の欄に表示し、１番のＰＯＳレジスタ２−１から取得した出金履歴情報に含まれる金種毎の放出枚数を当該入出金状況の出金の欄に表示する。また、ストアコントローラ３は、出金履歴情報、及び、入金履歴情報に含まれる従業員情報を当該入出金状況の従業員の欄に表示する。なお、ストアコントローラ３は、２番のＰＯＳレジスタ２−２、３番のＰＯＳレジスタ２−３、及び、４番のＰＯＳレジスタ２−４についても同様に表示する。
【００７０】
また、ストアコントローラ３は、出金履歴情報に含まれる金種毎の放出枚数と入金履歴情報に含まれる金種毎の投入枚数とを金種毎に相殺する。具体的には、ストアコントローラ３は、同一の従業員情報を有する、出金履歴情報及び入金履歴情報について、放出枚数と投入枚数とを金種毎に相殺する。ストアコントローラ３は、相殺した結果を例えば、メッセージとして表示する。
【００７１】
図８の例によれば、店員は、従業員番号「１２３」の「○○○さん」が、１番のＰＯＳレジスタ２−１から千円札を３０枚出金（放出）した旨、３番のＰＯＳレジスタ２−３に千円札を２５枚入金（投入）した旨、過不足情報として、３番のＰＯＳレジスタ２−３にてマイナス５０００円の異常（５０００円の不足）が生じている旨を把握することができる。なお、図８の例では、金種毎の出金枚数と金種毎の入金枚数とが一致しないため（出金履歴情報と入金履歴情報とを金種毎に相殺し、相殺結果がゼロとならないため）、入出金に不一致が生じた旨を報知している（図８の図中「Ｂ」）。
【００７２】
以上のように、ＰＯＳシステム１では、あるＰＯＳレジスタ２の自動釣銭釣札機１７が釣銭ニアエンドになった場合、当該釣銭ニアエンドを解消するために補充する所望の金種、枚数の貨幣を他のＰＯＳレジスタ２の自動釣銭釣札機１７に出金させて、釣銭ニアエンドになっている自動釣銭釣札機１７に入金させる。また、ＰＯＳシステム１では、ステップＳ５３０、ステップＳ５３３にて説明したように、入金伝票上の金種、枚数（即ち、出金時の出金情報）と、入金時の金種、枚数（即ち、入金時の入金情報）とが一致するか否かを判定し、一致しない場合に入出金に不一致が生じた旨を報知する。
【００７３】
即ち、ＰＯＳシステム１では、出金伝票により出金した貨幣が入金伝票による入金の入金情報と一致していない場合、つまり、あるＰＯＳレジスタ２が読み取った出金伝票による出金の出金情報（当該出金伝票を読み取ったＰＯＳレジスタ２から放出された金種毎の枚数）と、出金伝票を読み取ったＰＯＳレジスタ２において出金後に発行された入金伝票による入金の入金情報（当該入金伝票を読み取ったＰＯＳレジスタ２に投入された金種毎の枚数）とが一致していない場合、入出金に不一致が生じた旨を報知する。換言すれば、入金情報に基づく金種（貨幣種）毎の枚数と、実際に入金した金種（貨幣種）毎の枚数とが不一致であるか否かを判定し、不一致である場合には、入出金に不一致が生じた旨を報知している。
【００７４】
なお、金種（貨幣種）毎の枚数同士を比較するのではなく、合計金額（総額）同士を比較してもよい。即ち、金種（貨幣種）毎の枚数から出金時、入金時の合計金額が算出されるため、ＰＯＳレジスタ２は、入金情報に基づく総額と、実際に入金した総額とが不一致であるか否かを判定し、不一致である場合には、入出金に不一致が生じた旨を報知するようにしてもよい。
【００７５】
以上により、ＰＯＳシステム１では、直ちに（例えば、営業時間中に）、簡便に金銭の過不足を把握することができる。また、ＰＯＳシステム１では、出金履歴情報（即ち、出金時の出金情報）と、入金履歴情報（即ち、入金時の入金情報）とが一致しない場合には、入出金の状況として過不足が生じた旨を、図８に示すように詳細に表示する。従って、金銭の過不足が生じた原因などを簡便に確認することができる。
【００７６】
また、上記実施形態では、ストアコントローラ３は、全部の自動釣銭釣札機１７における釣銭補充の入出金の状況を表示すると説明したが、ストアコントローラ３は、特定の自動釣銭釣札機１７における釣銭補充の入出金の状況を表示するようにしてもよい。例えば、入力履歴情報（又は出力履歴情報）に含まれる操作者ＩＤを検索条件とし、特定の操作者が入出金を行った自動釣銭釣札機１７における釣銭補充の入出金の状況を表示するようにしてもよい。
【００７７】
また、ストアコントローラ３に代えて又は加えてＰＯＳレジスタ２が、自動釣銭釣札機１７における釣銭補充の入出金の状況を表示するようにしてもよい。例えば、ＰＯＳレジスタ２は、自装置の自動釣銭釣札機１７における釣銭補充の入出金の状況を表示するようにしてもよいし、他装置の自動釣銭釣札機１７の出金履歴情報及び入金履歴情報を取得し、他装置の自動釣銭釣札機１７における釣銭補充の入出金の状況を表示するようにしてもよい。
【００７８】
また、ストアコントローラ３（又はＰＯＳレジスタ２）は、表示に代えて又は加えて、自動釣銭釣札機１７における釣銭補充の入出金の状況を印刷出力してもよい。
【００７９】
また、上記実施形態では、ＰＯＳレジスタ２に読み取らせる伝票（出金伝票、入金伝票）を発行するが、ＰＯＳレジスタ２に実際に読み取らせる伝票とは別に、ＰＯＳレジスタ２に実際に読み取らせない伝票（控えやレポートに相当する伝票）を印刷、発行するようにしてもよい。例えば、出金伝票として、貨幣を出金させるＰＯＳレジスタ２に読み取らせる出金指示レシートを印刷発行するとともに、出金指示レシートに関する内容を印刷した補充レジ情報レシートを発行してもよい。なお、出金指示レシートと補充レジ情報レシートとは、簡便にあるいは上手に、互いに分離可能な状態（例えば、ミシン目が入れられた状態やハーフカットされた状態）で繋げて発行してもよい。
【００８０】
ＰＯＳレジスタ２は、２台以上のＰＯＳレジスタ２を選択した場合に、上述の出金指示レシート及び補充レジ情報レシートの組を、台数分、印刷、発行してもよい。例えば、ＰＯＳレジスタ２は、３台のＰＯＳレジスタ２を選択した場合には、出金指示レシート及び補充レジ情報レシートを３組（即ち、３枚の出金指示レシートと３枚の補充レジ情報レシート）を印刷、発行する。なお、ＰＯＳレジスタ２は、２台以上のＰＯＳレジスタ２を選択した場合に、上記に代えて、台数分の出金指示レシートと、台数分の情報を纏めた１枚の補充レジ情報レシートとを印刷、発行してもよい。例えば、ＰＯＳレジスタ２は、３台のＰＯＳレジスタ２を選択した場合には、３枚の出金指示レシートと１枚の補充レジ情報レシートとを印刷、発行してもよい。
【００８１】
なお、ＰＯＳレジスタ２は、入金伝票として入金指示レシートを発行するときに、ＰＯＳレジスタ２に実際に読み取らせない伝票を発行してもよい。
【００８２】
なお、上記実施形態では、出金可能なＰＯＳレジスタ２として、２台以上のＰＯＳレジスタ２を選択した場合には、選択した夫々のＰＯＳレジスタ２に読み取らせる夫々の出金伝票を印刷、発行すると説明したが、選択した複数のＰＯＳレジスタ２に共通に読み取らせる１枚の出金伝票を印刷、発行するようにしてもよい。なお、複数のＰＯＳレジスタ２に共通に読み取らせる１枚の共通の出金伝票には、ＰＯＳレジスタ２の夫々に読み取らせる複数のバーコード（個別のバーコード）を印刷してもよいし、複数のＰＯＳレジスタ２に共通に読み取らせる１つのバーコード（共通のバーコード）を印刷してもよい。なお、上述の共通のバーコードには、各ＰＯＳレジスタ２における金種毎の出金枚数などが、例えばＰＯＳレジスタ２毎に区切られるなどして、コード化されていればよい。また、他の伝票（補充レジ情報レシート）とともに出金伝票（出金指示レシート）を発行する態様において、複数のＰＯＳレジスタ２に共通に読み取らせる１枚の共通の出金伝票を発行する場合には、当該複数のＰＯＳレジスタ２の情報を纏めた１枚の補充レジ情報レシートを印刷、発行するとよい。
【００８３】
また、上記実施形態では、出力に関する情報を印刷した出金伝票と、入金に関する情報を印刷した入金伝票とを別々の伝票として発行しているが、出力に関する情報と入金に関する情報とを纏めて印刷した伝票（即ち、貨幣を出金（放出）する側、貨幣を投入（入力）する側の双方において読み取られる入出金共通の伝票）を発行してもよい。
【００８４】
また、上記実施形態では、伝票（出金伝票、入金伝票）は、ＰＯＳレジスタ２が印刷、発行するが、ＰＯＳレジスタ２に代えてストアコントローラ３が印刷、発行するようにしてもよい。出金伝票に関しては、例えば、釣銭ニアエンド情報をストアコントローラ３に送信し、釣銭ニアエンド情報を受信したストアコントローラ３が、出金伝票を発行してもよい。但し、ストアコントローラ３には、通常、自動釣銭釣札機１７が内蔵等されていないため、自装置の釣銭残置情報等については考慮しなくてよい。入金伝票に関しては、例えば、出金履歴情報を記憶した後にＰＯＳレジスタ２が入金伝票の印刷指示をストアコントローラ３に送信し、印刷指示を受信したストアコントローラ３が、入金伝票を印刷、発行してもよい。
【００８５】
また、上記実施形態では、金種毎の残置枚数に関する最新情報（釣銭残置情報）、入金履歴情報、出金履歴情報は、夫々の自動釣銭釣札機１７の内部、又は、夫々の自動釣銭釣札機１７を内蔵等しているＰＯＳレジスタ２のハードディスク２２に記憶されるが、ストアコントローラ３が、上記情報を記憶するようにしてもよい。例えば、ストアコントローラ３は、貨幣の投入、放出に際し、金種毎の投入枚数、放出枚数などの情報をＰＯＳレジスタ２から受信し、各ＰＯＳレジスタ２の自動釣銭釣札機１７の釣銭残置情報、入金履歴情報、出金履歴情報を記憶してもよい。
【００８６】
また、上記実施形態では、ＰＯＳレジスタ２は、読み取った出金伝票が自装置を対象とするものであれば貨幣を出金（放出）し、また、読み取った入金伝票が自装置を対象とするものであって投入貨幣の枚数が入金伝票と一致すれば投入貨幣を入金（収納）するが、更に、操作する従業員に関する情報に基づいて入出金を管理してもよい。例えば、入出金時に、店員の携帯物（例えば、従業員カード）から従業員ＩＤをより読み取り、伝票から読み取った従業員ＩＤと照合し、一致しているか否かを判定し、不一致である場合は入出金ができないように制御してもよい。なお、スキャナ部１８や撮像部２１によって、携帯物から従業員ＩＤの読み取ってもよいし、携帯物がＩＣタグなどを備える従業員カードである場合には、ＲＦＩＤを利用して従業員ＩＤの読み取ってもよい。従業員ＩＤが不一致となった場合には、警告情報（入出金操作において従業員ＩＤが不一致となった旨）を、ストアコントローラ３、責任者が所持する携帯端末、他のＰＯＳレジスタ２などに報知（送信）してもよい。なお、後述の準備金管理装置も同様である。
【００８７】
また、撮像部２１によって入出金操作を撮像しておき、従業員ＩＤが不一致となった場合には、読み取られた伝票のコード情報とともに（即ち、履歴情報として）、入出金操作において従業員ＩＤが不一致となった旨の警告情報と、撮像画像とを保存するようにしてもよい。なお、従業員ＩＤが一致した場合にも履歴情報として撮像画像を記憶してもよい。あるいは、入出金操作において従業員ＩＤの不一致が生じたときに撮像を開始してもよい。何れであっても、不一致が生じた際の撮像画像と警告情報と伝票のコード情報とを記憶しておき、後日の追跡調査が正確且つ簡単にできるようになる。例えば、追跡調査時には、調査対象の伝票が判明している場合には、当該伝票のコード情報を読み取って、読み取られたコード情報を検索条件とし、履歴情報から目的の入出金操作を検索することもできる。また、入出金の状況として、釣銭の補充の作業に係る日報、週報、月報などを従業員毎に出力してもよい。
【００８８】
また、上記実施形態では、印刷出力された伝票（出金伝票、入金伝票）には、当該伝票を読み取らせる装置の装置番号などが視認可能（機械によらず読解可能）に印刷されているため、伝票を見れば、当該伝票を読み取る装置はどの装置であるのか（つまり当該伝票をどの装置に持っていけばよいのか）が判るが、先端部分が発光するサインポールを、夫々のＰＯＳレジスタ２に接続し、サインポールの発光によって該当する装置を店員に報知するようにしてもよい。あるいは、伝票の発行前であっても、サインポールの発光によって釣銭ニアエンドになった装置を店員に報知するようにしてもよい。
【００８９】
例えば、ＰＯＳレジスタ２は、釣銭ニアエンドになった場合にサインポールを赤色にて発光させるようにしてもよい。また、釣銭ニアエンド情報を受信したＰＯＳレジスタ２は、サインポールを青色にて発光させるようにしてもよい。また、あるＰＯＳレジスタ２が出金伝票を印刷発行した場合、当該出金伝票に示された１台以上のＰＯＳレジスタ２（即ち、貨幣を出金するＰＯＳレジスタ２として選択されたＰＯＳレジスタ２）は、サインポールを黄色にて発光させるようにしてもよい。なお、出金伝票を印刷出力するＰＯＳレジスタ２は、貨幣を出金するＰＯＳレジスタ２として他のＰＯＳレジスタ２を選択した場合、選択した他のＰＯＳレジスタ２に対して貨幣を出金するＰＯＳレジスタ２として選択した旨の情報を送信することによって、出金伝票に示されたＰＯＳレジスタ２は、自装置が出金伝票に示されたＰＯＳレジスタ２である旨と判断し、サインポールを発光させるようにしてもよい。
【００９０】
また、上記実施形態では、他のＰＯＳレジスタ２に補充するための貨幣を、他の１台以上のＰＯＳレジスタ２から調達（出金）しているが、補充するための貨幣の全部又は一部をＰＯＳレジスタ２以外（例えば、補充するための貨幣の全部又は一部を事務所等に予め用意した準備金）から調達するようにしてもよい。具体的には、ＰＯＳシステム１として、補充する貨幣の調達先に関して設定できるようにしてもよい。例えば、準備金（事務所等）から調達する旨（“事務所一括”）、又は、１台以上のＰＯＳレジスタ２から調達する旨（“店内分散”）の何れかを指定する「調達先指定」欄を設けておいてもよい。なお、「調達先指定」欄において“店内分散”が指定されている場合には、１台以上のＰＯＳレジスタ２から調達するが、所定数以上のＰＯＳレジスタ２から調達しなければならないような場合（出金する装置として選択されたＰＯＳレジスタ２の台数が所定数以上である場合）には、“事務所一括”が指定されている場合と同様、補充するための貨幣の全部を準備金（事務所等）から調達するようにしてもよい。
【００９１】
なお、上記実施形態において、ＰＯＳシステム１が備える全部の自動釣銭釣札機１７が収納している貨幣（ＰＯＳシステム１に存在する全部のＰＯＳレジスタ２の自動釣銭釣札機１７が全体として収納している貨幣）を用いても、釣銭ニアエンドを生じさせたＰＯＳレジスタ２の自動釣銭釣札機１７の補充分を賄いきれない場面が生じ得る。当該場面が生じたときは、上述の「調達先指定」欄が設けられているか否か（即ち、欄自体が存在しているか否か）に関らず、あるいは、「調達先指定」欄が設けられている場合の指定内容に関らず、補充するための貨幣の全部又は一部をＰＯＳレジスタ２以外（例えば、補充するための貨幣の全部又は一部を事務所等に予め用意した準備金）から調達する。例えば、補充するための貨幣の全部を準備金（事務所等）から調達してもよいし、全部のＰＯＳレジスタ２（あるいは所定数のＰＯＳレジスタ２）からの出金では足りない分について準備金から調達するようにしてもよい。また、上述の「調達先指定」欄が設けられている場合に、上記場面が生じたときは、「調達先指定」欄において指定されている内容に応じて調達先を決定してもよい。例えば、「調達先指定」欄において“事務所一括”が指定されている場合には、補充するための貨幣の全部を準備金から調達し、「調達先指定」欄において“店内分散”が指定されている場合には、全部のＰＯＳレジスタ２（あるいは所定数のＰＯＳレジスタ２）からの出金では足りない分について準備金から調達するようにしてもよい。
【００９２】
なお、上述のように準備金から調達する場面を想定し、出金伝票を読み取るスキャナや入金伝票を印刷、発行する印刷部を備えた装置（以下、準備金管理装置という）に予め準備金を格納するようにしておいてもよい。つまり、ＰＯＳレジスタ２、準備金管理装置
は、以下のように動作してもよい。釣銭ニアエンド情報を受信したＰＯＳレジスタ２は、
準備金管理装置に読み取らせる出金伝票を印刷発行する。準備金管理装置は、ＰＯＳレジスタ２の図９に示した動作と同様、出金伝票が自装置（当該準備金管理装置）を対象とするものであるか否かを判断し、自装置を対象とするものであれば、出金伝票に基づいて貨幣を放出（出金）し、出金履歴情報を記憶する。なお、出金履歴情報として、日時、装置番号、出金伝票による出金である旨、操作者情報、金種毎の放出枚数（出金枚数）などを記憶する。また、出金履歴情報として、出金伝票による出金である旨に代えて、又は、加えて、釣銭ニアエンドに起因する出金である旨の情報を記憶してもよい。貨幣を出金した準備金管理装置は、釣銭ニアエンドとなったＰＯＳレジスタ２に読み取らせる入金伝票を印刷発行する。なお、準備金管理装置は、図１に示すＬＡＮに接続されていてもよい。
【００９３】
また、上記実施形態では、あるＰＯＳレジスタ２が釣銭ニアエンドになった場合、他のあるＰＯＳレジスタ２に釣銭ニアエンド情報を送信し、釣銭ニアエンド情報を受信したＰＯＳレジスタ２（即ち、釣銭ニアエンドになったＰＯＳレジスタ２以外のＰＯＳレジスタ２）が出金伝票を印刷、発行するが、釣銭ニアエンドになったＰＯＳレジスタ２は、釣銭ニアエンド情報を送信することなく、自ら出金伝票を印刷、発行するようにしてもよい。例えば、図６に示すフローチャートの例において、ステップＳ５００で自装置の釣銭ニアエンドを認識したＰＯＳレジスタ２−１は、ＰＯＳレジスタ２−２に釣銭ニアエンド情報を送信せずに、ＰＯＳレジスタ２−２に代えて自ら、ステップＳ５０３、Ｓ５０４、Ｓ５０５、Ｓ５１２、Ｓ５１３、Ｓ５１４の各処理を実行するようにしてもよい。なお、上記場合、ＰＯＳレジスタ２−２は、ＰＯＳレジスタ２−３やＰＯＳレジスタ２−４と同様の処理を実行すればよい。
【００９４】
また、上記実施形態では、釣銭ニアエンドが生じたタイミングに釣銭の補充（移動）を行っているが、他のタイミングにおいて釣銭を移動させてもよい。例えば、釣銭の補充に係わる機能として、売上回収の画面に「残置確認」のキーを設けておき、「残置確認」のキーが押下されたタイミングにて釣銭を移動させるようにしてもよい。例えば、「残置確認」キーが押下された場合、各ＰＯＳレジスタ２の釣銭残置情報（現在の金種毎の枚数など）を取得し、金種毎の枚数が、基準枚数（翌日の営業分として残しておく金種毎の基準枚数）を下回っているＰＯＳレジスタ２が存在する場合には、当該基準枚数を下回っているＰＯＳレジスタ２に入金（移動）させる貨幣を出金可能な１以上のＰＯＳレジスタ２（又は、準備金管理装置）を釣銭ニアエンドが生じたタイミングの場合と同様に選択し、選択したＰＯＳレジスタ２に読み取らせる出金伝票を印刷発行し、出金伝票を読み取って出金が完了したときに入金伝票を印刷発行し、上述の下回っているＰＯＳレジスタにて入金伝票を読み取らせて貨幣を補充する。なお、「残置確認」キーの押下後に取得した、基準枚数を下回っているＰＯＳレジスタ２を含む各ＰＯＳレジスタ２の釣銭残置情報を店員用表示部１４に表示してもよいし、印刷してもよい。
【００９５】
また、上記実施形態等では、ＰＯＳレジスタ２に読み取らせる情報を伝票（出金伝票、入金伝票）に記録（印刷）しているが、ＰＯＳレジスタ２に読み取らせる情報を他の記録媒体に記録してもよい。即ち、出金伝票、入金伝票の一方又は両方を用いることなく釣銭の補充を行ってもよい。例えば、店員がＩＣタグなどを備えるＩＣカード（例えば、従業員カード）を携帯している場合には、出金伝票及び入金伝票に代えて、ＩＣカードを用いて釣銭の補充を行ってもよい。また、出金伝票及び入金伝票に代えて、釣銭ニアエンド情報の送受信の如く、ＬＡＮを介したデータ送受信によって釣銭の補充を行ってもよい。以下、ＬＡＮを介したデータ送受信による釣銭補充、ＩＣカードを用いた釣銭補充、携帯端末の表示画面を用いた釣銭補充について説明する。
【００９６】
（ＬＡＮを介したデータ送受信による釣銭補充）
あるＰＯＳレジスタ２が釣銭ニアエンドとなった場合に、当該ＰＯＳレジスタ２（又は釣銭ニアエンドとなったＰＯＳレジスタ２から釣銭ニアエンド情報を受信したＰＯＳレジスタ２）は、上記実施形態において出金伝票に印刷されるような情報（例えば、図５に示すような情報）を、貨幣を放出させる自動釣銭釣札機１７を接続するＰＯＳレジスタ２に送信する。
【００９７】
上記出金伝票に印刷されるような情報を受信したＰＯＳレジスタ２（貨幣を放出させるＰＯＳレジスタ２）は、例えば店員が所定のボタン（例えば、ＯＫボタン）を押下した場合に、受信情報に基づいて貨幣を放出させる。なお、上記出金伝票に印刷されるような情報を受信したＰＯＳレジスタ２は、補充のため貨幣を放出する旨を店員に報知（例えば、表示）してもよい。また、貨幣を放出させたＰＯＳレジスタ２は、上記実施形態において入金伝票に印刷されるような情報（例えば、図５に示すような情報）を、釣銭ニアエンドとなったＰＯＳレジスタ２に送信する。
【００９８】
上記入金伝票に印刷されるような情報を受信したＰＯＳレジスタ２（釣銭ニアエンドとなったＰＯＳレジスタ２）は、例えば店員が所定のボタン（例えば、ＯＫボタン）を押下した場合に、受信情報に基づいて貨幣の投入を受け付けさせる。なお、出金伝票及び入金伝票を用いる釣銭補充と同じ様に、データ送受信による釣銭補充においても、自らの装置における処理であるか否かの確認や金種毎の投入枚数の確認を行う。
【００９９】
（ＩＣカードを用いた釣銭補充）
あるＰＯＳレジスタ２が釣銭ニアエンドとなった場合に、当該ＰＯＳレジスタ２（又は釣銭ニアエンドとなったＰＯＳレジスタ２から釣銭ニアエンド情報を受信したＰＯＳレジスタ２）は、上記実施形態において出金伝票に印刷するような情報を、ＲＦＩＤを利用してＩＣカードに書き込む。なお、ＰＯＳレジスタ２は、釣銭ニアエンドとなった場合に、ＩＣカードに情報の書き込むべき旨を店員に報知（例えば、表示）してもよい。
【０１００】
貨幣を放出させる自動釣銭釣札機１７を接続するＰＯＳレジスタ２は、ＩＣカードに書き込まれている情報（上記実施形態において出金伝票に印刷されるような情報）を、ＲＦＩＤを利用して読み取る。ＩＣカードに書き込まれている情報を読み取ったＰＯＳレジスタ２は、読み取った情報に基づいて貨幣を放出させる。また、貨幣を放出させたＰＯＳレジスタ２は、上記実施形態において入金伝票に印刷するような情報を、ＲＦＩＤを利用してＩＣカードに書き込む。
【０１０１】
釣銭ニアエンドとなったＰＯＳレジスタ２は、ＩＣカードに書き込まれている情報（上記実施形態において入金伝票に印刷されるような情報）を、ＲＦＩＤを利用して読み取る。ＩＣカードに書き込まれている情報を読み取ったＰＯＳレジスタ２は、読み取った情報に基づいて貨幣の投入を受け付けさせる。なお、出金伝票及び入金伝票を用いる釣銭補充と同じ様に、ＩＣカードを用いる釣銭補充においても、自らの装置における処理であるか否かの確認や金種毎の投入枚数の確認を行う。
【０１０２】
（携帯端末の表示画面を用いた釣銭補充）
あるＰＯＳレジスタ２が釣銭ニアエンドとなった場合に、当該ＰＯＳレジスタ２（又は釣銭ニアエンドとなったＰＯＳレジスタ２から釣銭ニアエンド情報を受信したＰＯＳレジスタ２）は、上記実施形態において出金伝票に印刷するような情報を、従業員が使用する携帯端末に送信する。上記出金伝票に印刷されるような情報を受信した携帯端末は、出金伝票に印刷されるような情報（バーコード含む）を画面表示する。
【０１０３】
貨幣を放出させる自動釣銭釣札機１７を接続するＰＯＳレジスタ２は、携帯端末に表示されている情報（上記実施形態において出金伝票に印刷されるような情報）を読み取る。携帯端末に表示されている情報を読み取ったＰＯＳレジスタ２は、読み取った情報に基づいて貨幣を放出させる。また、貨幣を放出させたＰＯＳレジスタ２は、上記実施形態において入金伝票に印刷するような情報を、従業員が使用する携帯端末に送信する。上記入金伝票に印刷されるような情報を受信した携帯端末は、入金伝票に印刷されるような情報（バーコード含む）を画面表示する。
【０１０４】
釣銭ニアエンドとなったＰＯＳレジスタ２は、携帯端末に表示されている情報（上記実施形態において入金伝票に印刷されるような情報）を読み取る。携帯端末に表示されている情報を読み取ったＰＯＳレジスタ２は、読み取った情報に基づいて貨幣の投入を受け付けさせる。なお、出金伝票及び入金伝票を用いる釣銭補充と同じ様に、携帯端末の表示画面を用いた釣銭補充においても、自らの装置における処理であるか否かの確認や金種毎の投入枚数の確認を行う。
【０１０５】
なお、上述の、ＬＡＮを介したデータ送受信による釣銭補充と、ＩＣカードを用いた釣銭補充と、携帯端末の表示画面を用いた釣銭補充とを併用してもよい。例えば、所望の金種、枚数の貨幣を釣銭釣札機１７に出金させる情報を出金伝票に記憶し、所望の金種、枚数の貨幣を釣銭釣札機１７に入金させる情報（上記実施形態において入金伝票に印刷されるような情報）をＩＣカードに記録してもよい。
【０１０６】
なお、上記実施形態では、ＰＯＳシステム１は、主に登録処理を行う登録装置の機能と主に会計処理を行う会計装置の機能とを兼ね備えた装置であるＰＯＳレジスタ２、即ち、登録装置と会計装置とを一体化したＰＯＳレジスタ２を備えると説明したが、ＰＯＳシステム１は、ＰＯＳレジスタ２に代えて、主に登録処理を行う登録装置と、主に会計処理を行う会計装置とを別体として備えるようにしてもよい。
【０１０７】
以下、登録装置と会計装置とを別体として備える構成の場合について説明する。自動釣銭釣札機１７は、会計装置に内蔵等される。会計装置は、お客自らが会計操作を行うもの（セルフ型の会計装置）であってもよい。登録装置は、お客自らが登録操作を行うもの（セルフ型の登録装置）であってもよい。なお、上記実施形態において説明したＰＯＳレジスタ２についても、お客自らが操作（登録操作、会計操作）を行うもの（セルフ型の一体化したＰＯＳレジスタ）であってもよい。
【０１０８】
釣銭ニアエンドになった会計装置は、登録装置に釣銭ニアエンド情報を送信する。例えば、釣銭ニアエンドになった会計装置は、予め設定された所定の登録装置（例えば、自装置に最も近い位置に配置された登録装置）に釣銭ニアエンド情報を送信する。また例えば、釣銭ニアエンドになった会計装置は、店員の操作によって指定された登録装置に釣銭ニアエンド情報を送信してもよい。なお、釣銭ニアエンドになった会計装置が、お客自らが会計操作を行う会計装置である場合には、お客が知らない特定の操作（シークレット操作）が行われた後でなければ、釣銭ニアエンド情報を送信する登録装置を指定する操作ができないようにしてもよい。釣銭ニアエンド情報を受信した登録装置は、釣銭ニアエンド情報を受信した場合のＰＯＳレジスタ２と同様に、釣銭ニアエンドになった会計装置に補充するための貨幣を出金する１以上の会計装置（または、準備金管理装置）を選択し、出金伝票を印刷、発行する。なお、釣銭ニアエンドになった会計装置は、釣銭ニアエンドになったＰＯＳレジスタ２と同様に、釣銭ニアエンド情報を送信することなく、自ら出金伝票を印刷、発行するようにしてもよい。
【０１０９】
出金伝票を読み取った会計装置は、読み取った出金伝票が自装置を対象とするものであれば貨幣を出金（放出）し、釣銭ニアエンドになった会計装置に読み取らせる入金伝票を印刷、発行する。入金伝票を読み取った会計装置は、読み取った入金伝票が自装置を対象とするものであって投入貨幣の枚数が入金伝票と一致すれば投入貨幣を入金（収納）する。更に、会計装置は、ＰＯＳレジスタ２と同様、操作する従業員に関する情報に基づいて入出金を管理してもよい。
【０１１０】
なお、ＰＯＳレジスタ２と同様、会計装置の夫々にサインポールを接続し、釣銭ニアエンドになった装置である旨、伝票を読み取る装置である旨などを店員に報知してもよい。また、登録装置の夫々にサインポールを接続し、釣銭ニアエンド情報を受信した装置である旨などを店員に報知してもよい。
【０１１１】
なお、上記実施形態では、釣銭ニアエンド（自動釣銭釣札機１７の貨幣がゼロに近い枚数である状態）の場合における貨幣の移動（出金、入金）について説明しているが、釣銭ニアフル（自動釣銭釣札機１７の貨幣が収納許容限度枚数に近い枚数である状態）の場合における貨幣の移動（出金、入金）について同様である。
【０１１２】
以下、釣銭ニアフルのときの動作について、登録装置と会計装置とが一体である構成の場合（即ち、ＰＯＳレジスタ２を備える構成の場合）と、登録装置と会計装置とを別体として備える構成の場合とに分けて説明する。
【０１１３】
（ＰＯＳレジスタ２を備える構成の場合）
釣銭ニアフルになったＰＯＳレジスタ２は、予め設定された所定のＰＯＳレジスタ２、又は、店員の操作によって指定されたＰＯＳレジスタ２に、釣銭ニアフル情報を送信する。釣銭ニアフル情報を受信したＰＯＳレジスタ２は、釣銭ニアフルになったＰＯＳレジスタ２から貨幣を放出（出金）させる出金伝票を印刷、発行する。なお、釣銭ニアフルになったＰＯＳレジスタ２は、釣銭ニアフル情報を送信することなく、自ら出金伝票を印刷、発行するようにしてもよい。
【０１１４】
出金伝票を読み取ったＰＯＳレジスタ２（釣銭ニアフルになったＰＯＳレジスタ２）は、読み取った出金伝票が自装置を対象とするものであれば、出金伝票に基づいて貨幣を放出（出金）し、出金履歴情報を記憶する。なお、出金履歴情報として、日時、装置番号、出金伝票による出金である旨、操作者情報、金種毎の放出枚数（出金枚数）などを記憶する。また、出金履歴情報として、出金伝票による出金である旨に代えて、又は、加えて、釣銭ニアフルに起因する出金（自装置の残置枚数を削減するための出金）である旨の情報を記憶してもよい。貨幣を出金したＰＯＳレジスタ２は、放出した貨幣を収納させる１以上のＰＯＳレジスタ２（または、準備金管理装置）を選択し、入金伝票を印刷、発行する。
【０１１５】
放出した貨幣を１以上のＰＯＳレジスタ２に収納させる場合（準備金管理装置に収納させない場合）のＰＯＳレジスタ２の選択方法を説明する。当該具体例として、ＰＯＳレジスタ２−２は、千円札については１５枚迄入金可能、五千円札については８枚迄入金可能であるものとする。ＰＯＳレジスタ２−３は、千円札については８枚枚迄入金可能、五千円札については１５枚迄入金可能であるものとする。ＰＯＳレジスタ２−４は、千円札については３枚迄入金可能、五千円札については１０枚迄入金可能であるものとする。なお、入金可能な枚数は、現在の残置枚数と基準枚数（入金可能枚数の計算用の基準枚数）とから計算する。なお、入金可能枚数の計算用の基準枚数は、金種毎に設定しておいてもよい。また、入金可能枚数の計算用の基準枚数は、ＰＯＳレジスタ２別に金種毎に設定しておいてもよい。
【０１１６】
（選択方法１／最小限の装置を選択）
例えば、ＰＯＳレジスタ２−２（自装置）は、ＰＯＳレジスタ２−１（他装置）から釣銭ニアフル情報（千円札１０枚と五千円札５枚とを要放出）を受信した場合、最小限のＰＯＳレジスタ２を選択（台数が最小になるようにＰＯＳレジスタ２を選択）するべく、ＰＯＳレジスタ２−２を選択するようにしてもよい。当該場合、ＰＯＳレジスタ２−２の１台に千円札１０枚と五千円５枚を収納する。
【０１１７】
（選択方法２／各金種について最も収納できる枚数に余裕がある装置を選択）
例えば、ＰＯＳレジスタ２−２（自装置）は、ＰＯＳレジスタ２−１（他装置）から釣銭ニアフル情報（千円札１０枚と五千円札５枚とを要放出）を受信した場合、各金種について最も収納できる枚数に余裕がある装置を選択するべく、ＰＯＳレジスタ２−２とＰＯＳレジスタ２−３とを選択するようにしてもよい。当該場合、ＰＯＳレジスタ２−２に千円札１０枚を収納し、ＰＯＳレジスタ２−３に五千円５枚を収納する。
【０１１８】
入金伝票を読み取ったＰＯＳレジスタ２は、読み取った入金伝票が自装置を対象とするものであって投入貨幣の枚数が入金伝票と一致すれば投入貨幣を収納し、入金履歴情報を記憶する。なお、入金履歴情報として、日時、装置番号、入金伝票による入金である旨、操作者情報、金種毎の投入枚数（入金枚数）などを記憶する。また、入金履歴情報として、入金伝票による入金である旨に代えて、又は、加えて、釣銭ニアフルに起因する入金（釣銭ニアフルの解消のために他の装置から出金された貨幣の入金）である旨の情報を記憶してもよい。
【０１１９】
なお、準備金管理装置が入金伝票を読み取った場合（釣銭ニアフルとなったＰＯＳレジスタ２から出金された貨幣を準備金管理装置に入金させる場合）には、上述の入金伝票を読み取ったＰＯＳレジスタ２の場合と同様、投入貨幣の収納し、入金履歴情報を記憶する。
【０１２０】
なお、ＰＯＳレジスタ２は、釣銭ニアエンドの場合と同様、操作する従業員に関する情報に基づいて入出金を管理（制限）してもよい。準備金管理装置も同様である。また、ＰＯＳレジスタ２は、釣銭ニアエンドの場合と同様、サインポールを用いて、釣銭ニアフルになった装置である旨、伝票を読み取る装置である旨などを店員に報知してもよい。
【０１２１】
（登録装置と会計装置とを別体として備える構成の場合）
釣銭ニアフルになった会計装置は、予め設定された所定の登録装置、又は、店員の操作によって指定された登録装置に、釣銭ニアフル情報を送信する。釣銭ニアフル情報を受信した登録装置は、釣銭ニアフルになった会計装置から貨幣を放出（出金）させる出金伝票を印刷、発行する。なお、釣銭ニアフルになった会計装置は、釣銭ニアフル情報を送信することなく、自ら出金伝票を印刷、発行するようにしてもよい。
【０１２２】
出金伝票を読み取った会計装置（釣銭ニアフルになった会計装置）は、読み取った出金伝票が自装置を対象とするものであれば貨幣を出金（放出）し、放出した貨幣を収納させる１以上の会計装置（または、準備金管理装置）を選択し、入金伝票を印刷、発行する。
【０１２３】
放出した貨幣を１以上の会計装置に収納させる場合（準備金管理装置に収納させない場合）の会計装置の選択方法を説明する。当該具体例として、会計装置Ｂは、千円札については１５枚迄入金可能、五千円札については８枚迄入金可能であるものとする。会計装置Ｃは、千円札については８枚枚迄入金可能、五千円札については１５枚迄入金可能であるものとする。会計装置Ｄは、千円札については３枚迄入金可能、五千円札については１０枚迄入金可能であるものとする。なお、入金可能な枚数は、現在の残置枚数と基準枚数（入金可能枚数の計算用の基準枚数）とから計算する。
【０１２４】
（選択方法１／最小限の装置を選択）
例えば、会計装置Ｂ（自装置）は、会計装置Ａ（他装置）から釣銭ニアフル情報（千円札１０枚と五千円札５枚とを要放出）を受信した場合、最小限の会計装置を選択（台数が最小になるように会計装置を選択）するべく、会計装置Ｂを選択するようにしてもよい。当該場合、会計装置Ｂの１台に千円札１０枚と五千円５枚を収納する。
【０１２５】
（選択方法２／各金種について最も収納できる枚数に余裕がある装置を選択）
例えば、会計装置Ｂ（自装置）は、会計装置Ａ（他装置）から釣銭ニアフル情報（千円札１０枚と五千円札５枚とを要放出）を受信した場合、各金種について最も収納できる枚数に余裕がある装置を選択するべく、会計装置Ｂと会計装置Ｃとを選択するようにしてもよい。当該場合、会計装置Ｂに千円札１０枚を収納し、会計装置Ｃに五千円５枚を収納する。
【０１２６】
入金伝票を読み取った会計装置は、読み取った入金伝票が自装置を対象とするものであって投入貨幣の枚数が入金伝票と一致すれば投入貨幣を収納する。
【０１２７】
なお、会計装置は、釣銭ニアエンドの場合と同様、操作する従業員に関する情報に基づいて入出金を管理（制限）してもよい。また、釣銭ニアエンドの場合と同様、サインポールを用いて、釣銭ニアフルになった装置である旨、伝票を読み取る装置である旨などを店員に報知してもよい。
【０１２８】
上記実施形態等では、二次元バーコードは撮像部２１によって読み取られ、一次元バーコードはスキャナ部１８によって読み取られると説明しているが、スキャナ部１８に代えて撮像部２１が、一次元バーコードを読み取ってもよい。
【０１２９】
上記実施形態等において説明したＰＯＳシステム１は、商品の代金を現金にて決済する釣銭釣札機を備えた会計システムの一例であって、商品の代金を現金にて決済する釣銭釣札機を備えた会計システムは、上記実施形態等において説明したＰＯＳシステム１に限定されない。例えば、釣銭釣札機を備える券売機（自動券売機を含む）を含むシステムも上記会計システムに該当する。つまり、本発明に係る会計システムは、例えば、登録装置の機能と会計装置の機能とを兼ね備えたＰＯＳレジスタ２を備える構成、あるいは、登録装置と会計装置とを別体として備える構成、あるいは、釣銭釣札機を内蔵等する券売機を備える構成など、商品の代金を現金にて決済する釣銭釣札機を備えていればよい。
【０１３０】
以上、本発明の実施形態等について詳述したが、具体的な構成はこの実施形態に限られるものではなく、この発明の要旨を逸脱しない範囲の設計等も含まれる。上記会計システムに関し、以下の付記を開示する。
【０１３１】
（付記１）
商品の代金を現金にて決済する釣銭釣札機を備えた会計システムにおいて、
所望の金種、枚数の貨幣を出金させる出金手段と、
前記出金手段により貨幣を出金させた装置とは異なる装置に前記出金手段により出金させた貨幣を入金させる入金手段と、
前記出金手段により出金した貨幣が前記入金手段による入金の入金情報と一致するか否かを判定し、一致しない場合に入出金に不一致が生じた旨を報知する報知手段と、
を備えることを特徴とする会計システム。
（付記２）
前記出金手段は、
貨幣の補充を必要とする釣銭釣札機がある場合に、当該補充を必要とする金種の貨幣を当該釣銭釣札機とは異なる装置に出金させ、
前記入金手段は、
前記出金手段により出金された貨幣を、前記補充を必要とする釣銭釣札機に入金させることを特徴とする付記項１に記載の会計システム。
（付記３）
前記出金手段は、
貨幣の放出を必要とする釣銭釣札機がある場合に、当該放出を必要とする金種の貨幣を当該釣銭釣札機に出金させ、
前記入金手段は、
前記出金手段により出金された貨幣を、前記放出を必要とする釣銭釣札機とは異なる装置に入金させることを特徴とする付記項１に記載の会計システム。
（付記４）
前記出金手段は、
貨幣の補充を必要とする釣銭釣札機がある場合に、当該補充を必要とする金種の貨幣を他の釣銭釣札機に出金させる
ことを特徴とする付記項２に記載の会計システム。
上記会計システムによれば、ある釣銭釣札機に対し貨幣の補充が必要になった場合、他の釣銭釣札機から貨幣を出金させることができる。
（付記５）
ある釣銭釣札機が収納する何れかの金種の貨幣の収納枚数が所定枚数に至った場合、所定枚数に至った金種の貨幣の補充を要求する補充要求手段を備え、
前記出金手段は、
前記補充要求手段により補充を要求されている金種の貨幣の収納枚数が基準枚数を超えている他の釣銭釣札機に、当該金種の貨幣を出金させることを特徴とする付記４に記載の会計システム。
上記会計システムによれば、ある釣銭釣札機に対し貨幣の補充が必要になった場合、他の適切な釣銭釣札機から貨幣を出金させることができる。
（付記６）
前記入金手段は、
前記出金手段により出金された貨幣を、他の釣銭釣札機に入金させることを特徴とする付記項３に記載の会計システム。
上記会計システムによれば、ある釣銭釣札機において貨幣の放出が必要になった場合、放出させた貨幣を他の釣銭釣札機に入金させることができる。
（付記７）
前記出金手段は、
金種と、枚数と、操作者ＩＤとを含むコード情報に基づいて貨幣を出金させ、
前記入金手段は、
金種と、枚数と、操作者ＩＤとを含むコード情報に基づいて貨幣を入金させ、
前記報知手段は、
操作者毎に前記出金情報と前記入金情報とが一致するか否かを判定し、ある操作者の操作による前記出金情報と前記入金情報とが一致しない場合に、当該操作者の操作による入出金に不一致が生じた旨を報知することを特徴とする付記１乃至付記６の何れかに記載の会計システム。
上記会計システムによれば、ある操作者の操作による出金情報と入金情報とが一致しない場合に、当該操作者の操作による入出金に不一致が生じた旨を報知するので、入出金に不一致があった操作者を直ちに把握することができる。
（付記８）
前記報知手段は、
ある操作者の操作による前記出金情報と前記入金情報とが一致しない場合に、当該操作者の操作者ＩＤ、及び、当該操作者の操作による前記出金情報と当該操作者の操作による前記入金情報から得られる当該操作者の操作による入出金過不足情報を報知することを特徴とする付記７に記載の会計システム。
上記会計システムによれば、入出金に不一致があった操作者と、入出金の過不足（不一致の金額）を直ちに把握することができる。
（付記９）
前記報知手段は、
前記出金情報に含まれる金種毎の出金枚数と、前記入金情報含まれる金種毎の入金枚数とが一致するか否かを判定し、金種毎の出金枚数と金種毎の入金枚数とが一致しない場合に入出金に不一致が生じた旨を報知することを特徴とする付記１乃至付記８の何れかに記載の会計システム。
上記会計システムによれば、より正確に、入出金の不一致を判定し、報知することができる。
（付記１０）
前記報知手段は、
前記出金情報と前記入金情報とを相殺し、相殺結果がゼロとならない場合に、前記出金情報と前記入金情報とが一致しないと判定することを特徴とする付記１乃至付記９の何れかに記載の会計システム。
上記会計システムによれば、確実に、入出金の不一致を判定し、報知することができる。
【０１３２】
なお、本実施形態のＰＯＳシステム１（又はＰＯＳレジスタ２、登録装置、会計装置、券売機）の各処理を実行するためのプログラムをコンピュータ読み取り可能な記録媒体に記録して、当該記録媒体に記録されたプログラムをコンピュータシステムに読み込ませ、実行することにより、ＰＯＳシステム１（又はＰＯＳレジスタ２、登録装置、会計装置、券売機）の各処理に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１３３】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であってもよい。
【０１３４】
以上、この発明の実施形態について図面を参照して詳述してきたが、具体的な構成はこの実施形態に限られるものではなく、この発明の要旨を逸脱しない範囲の設計等も含まれる。
【符号の説明】
【０１３５】
１…ＰＯＳシステム  ２…ＰＯＳレジスタ  ３…ストアコントローラ  １１…ＣＰＵ  １２…ＲＯＭ  １３…ＲＡＭ  １４…店員用表示部  １５…操作部  １６…客用表示部  １７…自動釣銭釣札機  １７ａ…硬貨放出口  １７ｂ…硬貨投入口  １８…スキャナ部  １９…印刷部  ２０…通信部  ２１…撮像部  ３０…キャッシュドロア
【図１】
2014081815.tif 000003
【図２】
2014081815.tif 000004
【図３】
2014081815.tif 000005
【図４】
2014081815.tif 000006
【図５】
2014081815.tif 000007
【図６】
2014081815.tif 000008
【図７】
2014081815.tif 000009
【図８】
2014081815.tif 000010